(57)【要約】  【課題】  電池の着脱をスムースに行うことができるとともに、瞬断事故の発生を防止でき信頼度が高い電池収容装置を提供する。  【解決手段】  電子機器本体のハウジングに設ける電池室４にバッテリパック５を着脱自在に収容する電池収容装置６であって、バッテリパック５を保持するとともに電池室４内でバッテリパック５と一体にスライド可能な電池ホルダ６２と、この電池ホルダ６２に対し電池室４の出入口４Ａに設けた電池蓋３を押圧する方向に弾性力を付勢するコイルばね６３と、電池ホルダ６２を介してバッテリパック５と電池室４との間を電気的に接続する導通手段とを備えた。【選択図】  図２
2006127777.tif 000002
【特許請求の範囲】
【請求項１】
電子機器本体のハウジングに設ける電池室に電池を着脱自在に収容する電池収容装置であって、
前記電池室内で前記電池を保持する電池ホルダと、
前記電池を保持する前記電池ホルダを前記電池室内の一定領域内でスライド可能にガイドするスライドガイド部材と、
前記電池ホルダに対し前記電池室の出入口に設けた電池蓋を押圧する方向に弾性力を付勢する弾性部材と、
前記電池ホルダを介して前記電池と前記電池室又は前記スライドガイド部材との間を電気的に接続する導通手段と
を備えた電池収容装置。
【請求項２】
前記電池ホルダが保持する前記電池ホルダから前記電池が抜け出すのを防止する手段を備える請求項１に記載の電池収容装置。
【請求項３】
前記導通手段は、前記弾性部材で兼用する請求項１または２に記載の電池収容装置。
【発明の詳細な説明】
【技術分野】
【０００１】
本発明は、各種の電子機器から電池やバッテリなどを簡単に着脱させることができる電池収容装置に関する。
【背景技術】
【０００２】
携帯用のパソコン、携帯電話機などの各種小型の電子機器には、乾電池や二次電池など（以下、これをまとめて「電池」とよぶ）を着脱自在に収容するため、電池収容装置が各種開発されている（例えば、特許文献１とよぶ）。例えば、この特許文献１に記載の電池収容装置では、電子機器本体のケーシングに電池蓋で開閉可能な電池室を設け、この電池室にコイル状の端子ばねなどを介して電池を収容させる構成のものなどが知られている。
【特許文献１】実開平６−１３０４９号公報
【発明の開示】
【発明が解決しようとする課題】
【０００３】
このように、電池室内で電池との接続を図る端子には、通常、確実な電気的接続をはかるために、電池の−端子側と接続する端子にばね性を有するものを用いており、そのばね力で電池の端子側と圧接させている。従って、このような電池収容装置にあっては、電池室内の端子のばね力に抗して電池を電池室に落とし込ませたり、取り出さなければならないので、電池を着脱させるときの操作性が悪く、簡単に着脱させることができない場合がある。
【０００４】
しかも、このような電子機器にあっては、使用中に誤って落としたりぶつけたりして閉じていた電池蓋が開き、電池室が開放されると、内部に収容されていた電池が落下や衝突の衝撃で押し出されて外部へ飛び出すおそれもある。その結果、電子機器を使用中の場合には、瞬断事故を発生して記憶情報が消失することもある。
【０００５】
本発明は、上記事情に鑑みてなされたもので、電池の着脱をスムースに行うことができるとともに、瞬断事故の発生を防止でき信頼度の高い電池収容装置を提供することを目的とする。
【課題を解決するための手段】
【０００６】
本発明の電池収容装置は、電子機器本体のハウジングに設ける電池室に電池を着脱自在に収容する電池収容装置であって、前記電池室内で前記電池を保持する電池ホルダと、
前記電池を保持する前記電池ホルダを前記電池室内の一定領域内でスライド可能にガイドするスライドガイド部材と、前記電池ホルダに対し前記電池室の出入口に設けた電池蓋を押圧する方向に弾性力を付勢する弾性部材と、前記電池ホルダを介して前記電池と前記電池室又は前記スライドガイド部材との間を電気的に接続する導通手段とを備えた構成となっている。この構成により電池などの着脱をスムースに行うことができる。また、落下などにより電池蓋が開いても、電池ホルダに保持されているので、電池が電池ホルダから抜け出して外部に飛び出すことがなく、瞬断事故の発生を防止できる。
【０００７】
また、本発明の電池収容装置は、前記電池ホルダが保持する前記電池ホルダから前記電池が抜け出すのを防止する手段を備える構成となっている。この構成により、落下などにより電池蓋が開いても、電池が電池ホルダから一層確実に抜け出さないようにできる。
【０００８】
また、本発明の電池収容装置は、前記通電手段を前記弾性部材で兼用する構成となっている。この構成により、部品点数の削減できる。
【発明の効果】
【０００９】
本発明によれば、電池の交換をスムースに行うことができるとともに、落下などにより装置本体から電池が外部へ飛び出して瞬断事故が発生するのを防止でき、信頼度が高い電池収容装置を提供できる。
【発明を実施するための最良の形態】
【００１０】
以下、本発明の実施形態について、添付図面を参照しながら詳細に説明する。
図１及び図２は、本発明の実施形態に係る電池収容装置を設けた電子機器を示すものであり、この電子機器の本体１は、表側ケース２Ａと、裏側ケース２Ｂと、電池蓋３などで構成しており、電池蓋３で閉鎖する電池室４に、バッテリパック５を着脱自在に収納する電池収容装置６を設けている。
【００１１】
電池収容装置６は、図２に示すように、電池室４に設けたスライドガイド部材６１と、バッテリパック５を内部に着脱可能に収容するとともに電池室４内に設けたスライドガイド部材６１に沿ってスライド可能な電池ホルダ６２と、この電池ホルダ６２を電池室４の出入口４Ａ方向へ向け常時弾性力で押圧する電池室４に設けたコイルばね６３と、電池室４内のバッテリパック５と電池室４との間を電気的に接続する図示外の導通手段（例えばリード線）と、プリント基板６４(図３参照)とを備えている。
【００１２】
スライドガイド部材６１は、図４（Ａ）に示すように、バッテリパック５を両側から拘束状態(あるいは若干の隙間を保持した状態)に保持してスライド動作をガイドする一定幅Ｗ１のガイド部６１Ａと、バッテリパック５を保持した電池ホルダ６２を電池室の最奥部から一定の長さＬだけスライド可能にするために、スライドガイド部材６１よりも広い幅Ｗ２を有する拡幅部６１Ｂとを備える。
【００１３】
このスライドガイド部材６１にスライド動作を規制される電池ホルダ６２は、図３に示すように、基台部６２Ａと、この基台６２Ａに設けた爪部６２１に係止させて一体に組み付ける係止孔６２２を設けた端子部６２Ｂとを備えている。基台部６２Ａは、図３（Ｂ）に示すように、中空略箱状に形成されており、この基台部６２上部及び側部のほぼ半分を切欠いて開口させた開口部に端子部６２Ｂを嵌挿させて基台部６２Ａと端子部６２Ｂを一体に組付けている。端子部６２Ｂには、図４（Ｂ）に示すように、端子６２４がプリント基板６４を介して突設されている。一方、この端子６２４には、バッテリパック５側との導通を図るため、図５（Ａ）に示すようにバッテリパック５の端子５１と接触する先端部側に薄板状の金属板で形成した係止突起６２４Ａを設けている。また、この電池ホルダ６２は、端子部６２Ｂ側の係止孔６２２を設けたアングル部６２５(図５参照)が、スライドガイド部材６１のガイド部６１Ａとガイド部６１Ａとの境界部分をなす段部６１Ｄ（図４（Ａ）参照）に、先端部分が係止するまでスライド可能になっている。換言すれば、段部６１Ｄは、電池室４の出入口４Ａ方向に電池ホルダ６２がそれ以上前進するのを阻止している。
【００１４】
コイルばね６３は、図３（Ｂ）に示すように、基端部分を基台部６２Ａの取付壁６２３に設けた固定溝６２３Ａに落とし込ませて固定するようになっている。なお、このコイルばね６３は、図２に示すように、先端部分がスライドガイド部材６１の基端部側の壁面６１Ｃに係止した状態で電池室のスライド領域(図４（Ａ）で拡幅部６１Ｂが形成されている領域)に設置されている。なお、このコイルばね６３は、電池蓋４Ａを開くと電池室４の出入口４Ａに向けてスライドガイド部材６１を押出し、電池室４からバッテリパック５の一部だけを電子機器の本体１外部へ飛び出させものであるが、このコイルばね６３自体を良導体で形成してバッテリパック５と電子機器内部との導通を図る導通手段を兼用させるようにしてもよい。
【００１５】
プリント基板６４は、スルーホールに端子部６２Ｂ側の端子６２６を嵌挿させて半田で溶着することで端子部６２Ｂに一体に固定させている。また、プリント基板６４には、一面にバッテリパック５側との導通を図る端子６２４を実装させている。
【００１６】
なお、本実施形態では、バッテリパック５をガイド部６１Ａの内壁面に密着させており、バッテリパック５はある程度の重量があるので、ある程度大きな摩擦力が作用してスライドガイド部材６１からバッテリパック５が簡単に抜け出さないようになっており、抜け出し防止の手段を構成している。また、この抜け出し防止の手段としては、例えば、スライドガイド部材６１に開閉蓋を設け、電池蓋３を開いてからさらにこの開閉蓋を開き、バッテリパック５をスライドガイド部材６１から取り出すように構成してもよい。また、スライドガイド部材６１側の端子とバッテリパック５側の端子６２４との間で摩擦力を発生するようにして、抜け出し防止の手段を構成してもよい。
【００１７】
次に、本実施形態の作用について説明する。
バッテリパック５を交換する場合、図６（Ａ）及び（Ｂ）に示すように、電子機器においてバッテリパック５が収容され電池蓋３が閉じた状態から、指や手でロックレバー３１を操作してロック解除を行うとともに電池蓋３を所定の（α）方向に押し開く。すると、図７（Ａ）及び（Ｂ）に示すように、コイルばね６３の弾性力でスライドガイド部材６１が電池蓋３の方向に向けて押し出される。そして、スライド領域の最終位置まで、つまり図８（Ａ）において、アングル部６２５が段部６１Ｄに当接するところまで前進移動して停止する。なお、ここで、スライドガイド部材６１に収容されているバッテリパック５は、スライドガイド部材６１と一体に同方向に移動するが、バッテリパック５はスライドガイド部材６１のガイド部６１Ａの内壁面に摩擦力で係止している（抜け出し防止）ので、バッテリパック５がスライドガイド部材６１から飛び出すのを防止している。従って、この状態では、バッテリパック５側と電子機器側との電気的な接続状態が確保されており、瞬断事故が発生するのも防止している。
【００１８】
次に、スライドガイド部材６１とともに外部に一部飛び出しているバッテリパック５は、図７及び図８（Ｂ）に示すように、手や指でバッテリパック５をつかみ、前述の摩擦力に抗してスライドガイド部材６１だけを引き抜けば、簡単に取り出すことができる。また、新しいバッテリパック５を電池室４に装着する場合には、今の操作と逆の操作を行えば、バッテリパック５を簡単に交換できる。
なお、この電子機器を万一落下させるなどして、電池蓋３が開きスライドガイド部材６１とともにバッテリパック５が飛び出すことがあっても、バッテリパック５は抜け出し防止である前述の摩擦力でスライドガイド部材６１から容易に抜け出さないようになっているので、瞬断事故の発生が回避できる。
【００１９】
なお、本発明は、上述した実施形態に何ら限定されるものではなく、その要旨を逸脱しない範囲において種々の形態で実施し得るものである。
【産業上の利用可能性】
【００２０】
本発明は、電池を保持するとともに電池室内で電池と一体にスライド可能な電池ホルダと、この電池ホルダに対し電池室の出入口に設けた電池蓋を押圧する方向に弾性力を付勢する弾性部材と、電池ホルダを介して電池と電池室との間を電気的に接続する導通手段とを備えており、電池の交換をスムースに行うことができるとともに、万一、落下などにより装置本体から電池が外部へ飛び出して瞬断事故が発生するのを防止でき、信頼度が高い電池収容装置を提供できるようになり、携帯用のパソコン、携帯電話機などのように持ち運んで使用する各種電子機器への適用に便宜である。
【図面の簡単な説明】
【００２１】
【図１】本発明の実施形態に係る電池収容装置を設けた電子機器を示す斜視図
【図２】同電子機器を示す分解斜視図
【図３】（Ａ）は同電子機器の電池収容装置の要部斜視図、（Ｂ）は同要部の分解斜視図
【図４】（Ａ）は同電池収容装置の要部断面図、（Ｂ）は（Ａ）におけるＢ部の拡大断面図
【図５】（Ａ）は同電池収容装置の電池ホルダに設けた端子部を下方から見た斜視図、（Ｂ）は（Ａ）を下からから見た底面図
【図６】（Ａ）は同電池収容装置の電池蓋を閉じた状態のときの電子機器を示す斜視図、（Ｂ）は（Ａ）の縦断面図
【図７】（Ａ）は同電池収容装置の電池蓋を開いた状態のときの電子機器を示す斜視図、（Ｂ）は（Ａ）の縦断面図
【図８】（Ａ）は同電池収容装置の電池蓋を開いた状態のときの要部拡大断面図、（Ｂ）は同電池収容装置の電池室（電池ホルダ）からバッテリパックを取り出す時の状態を示す要部拡大断面図
【符号の説明】
【００２２】
１  電子機器の本体
２Ａ  表側ケース
２Ｂ  裏側ケース
３  電池蓋
４  電池室
４Ａ  （電池室４の）出口
５  バッテリパック（電池）
６  電池収容装置
６１  スライドガイド部材
６１Ｄ  段部
６２  電池ホルダ
６２Ａ  基台部
６２Ｂ  端子部
６２５  アングル部
６３  コイルばね（弾性部材）
６４  プリント基板
【図１】
2006127777.tif 000003
【図２】
2006127777.tif 000004
【図３】
2006127777.tif 000005
【図４】
2006127777.tif 000006
【図５】
2006127777.tif 000007
【図６】
2006127777.tif 000008
【図７】
2006127777.tif 000009
【図８】
2006127777.tif 000010